(57)【要約】      （修正有）【課題】電子計算機のディスク記録再生装置の内部にディスクが挿入されているままかどうかを容易にユーザーが確認でき、また、電子計算機の電源がオフの状態の場合に、一旦電子計算機を起動させなくてもディスク記録再生装置の内部のディスクを取り出すことができる電子計算機を提供する。【解決手段】電源回路１０の副演算回路１１が、電源スイッチ１２を操作されて電源オフされたことを検出した際に、ディスクがディスク記録再生装置５内に在るとディスク有無記憶部が記憶している場合は、表示回路のＬＥＤ１８を発光させてディスク記録再生装置５にオールウェイズ電源１６を供給するように待機し、ディスクがディスク記録再生装置５内に存在しないとディスク有無記憶部が記憶している場合は、表示回路のＬＥＤ１８を消灯させてディスク記録再生装置５にラン電源１５を供給するように待機する。【選択図】図１
2012198959.tif 000002
【特許請求の範囲】
【請求項１】
電源回路と、該電源回路から電源電圧を供給されるディスク記録再生装置と、を少なくとも備える電子計算機であって、
該ディスク記録再生装置が、ローディングされたディスクを取り出す際に操作する取り出しスイッチと、該ディスクの存在を検出するディスク検出回路と、を含み、
該電源回路が、電源スイッチと、該ディスク記録再生装置が起動する場合に必要な最小電力を供給するオールウェイズ電源と該ディスク記録再生装置が通常動作する場合に電力を供給するラン電源とを該電源スイッチの操作により切り替えて出力する電源出力切替回路と、該オールウェイズ電源により動作して該電源出力切替回路を制御する副演算回路と、該副演算回路によりＬＥＤの発光を制御される表示回路と、を含み、
該電源回路の該副演算回路が、該ディスク検出回路の出力を受けて該ディスクの存在の有無を記憶するディスク有無記憶部を有し、該電源スイッチを操作されて電源オフされたことを検出した際に、該ディスクが該ディスク記録再生装置内に在ると該ディスク有無記憶部が記憶している場合は、該表示回路の該ＬＥＤを発光させて該ディスク記録再生装置に該オールウェイズ電源を供給するように待機し、該ディスクが該ディスク記録再生装置内に存在しないとディスク有無記憶部が記憶している場合は、該表示回路の該ＬＥＤを消灯させて該ディスク記録再生装置に該ラン電源を供給するように待機する、
電子計算機。
【請求項２】
前記電源回路の前記電源出力切替回路が前記ディスク記録再生装置に前記オールウェイズ電源を供給するように待機している際に、前記副演算回路が前記取り出しスイッチが押されたことを検出した場合は、前記ディスクが該ディスク記録再生装置内に存在すると前記ディスク有無記憶部が記憶していれば、該ディスク記録再生装置に該オールウェイズ電源を供給し、該ディスク記録再生装置内からローディングされた該ディスクを取り出し可能にする、
請求項１に記載の電子計算機。
【請求項３】
前記電源回路の前記副演算回路が前記電源スイッチを操作されて電源オフされたことを検出した際に、前記副演算回路が前記取り出しスイッチが押されたことを検出した場合は、前記ディスクが該ディスク記録再生装置内に存在すると前記ディスク有無記憶部が記憶している場合に、ディスク有無記憶部が該ディスクが該ディスク記録再生装置内に存在しないと変更して記憶し、該表示回路の該ＬＥＤを消灯させて該ディスク記録再生装置に該ラン電源を供給するように待機する、
請求項２に記載の電子計算機。
【請求項４】
前記電源回路の前記副演算回路が、前記電源スイッチを操作されて電源オンされたことを検出した際に、前記ディスクが該ディスク記録再生装置内に存在すると前記ディスク有無記憶部が記憶している場合は、該ディスク記録再生装置に該ラン電源を供給し、その後に中央演算回路に該ラン電源を供給して電子計算機を起動する、
請求項１から３のいずれかに記載の電子計算機。
【請求項５】
前記電源回路の前記副演算回路の前記ディスク有無記憶部が、前記ディスク検出回路から前記ディスク記録再生装置に割り当てられたドライブボリュームラベルを取得し、該ドライブボリュームラベルにデータがある場合に前記ディスクが該ディスク記録再生装置内に存在すると記憶し、該ドライブボリュームラベルにデータがない場合に該ディスクが該ディスク記録再生装置内に存在しないと記憶する、
請求項１から４のいずれかに記載の電子計算機。
【発明の詳細な説明】
【技術分野】
【０００１】
本発明は、記録再生媒体としてのディスクを記録再生するディスク記録再生装置（光学ディスクドライブ）を備える電子計算機に関し、特に、ディスク記録再生装置を備え、電源スイッチのオンオフ動作により起動を制御する電子計算機に関する。
【背景技術】
【０００２】
パーソナルコンピューターに代表される電子計算機では、ＤＶＤ等のディスク状の媒体を記録再生する光学ディスクドライブ、すなわち、ディスク記録再生装置を備える場合が多くある。電子計算機では、電源スイッチのオン動作により起動される中央演算素子（ＣＰＵ）が、その制御下に置かれるディスク記録再生装置を制御するので、中央演算素子に電源から動作するのに必要十分な電力が供給されて中央演算素が起動していなければ、ディスク記録再生装置を制御することができない。
【０００３】
したがって、電子計算機のディスク記録再生装置の内部にディスクが挿入されているか否かを確認したいとユーザーが望んでも、従来の電子計算機では、所定以上の時間を要する電子計算機の起動を待たなければならないという問題がある。また、電子計算機の電源がオフの状態の場合に、ディスク記録再生装置の内部のディスクを取り出したい場合にも、一旦電子計算機を起動させるか、あるいは、ディスク記録再生装置に備わる緊急取り出し用のスイッチを、針のような細い棒状のもので押さなければならず、時間と手間を要する作業を必要としていたという問題がある。
【０００４】
従来には、情報記録媒体の盗難を確実に防止してパソコンの電源がＯＦＦの時や、故障で起動できなくなった時でも情報記録媒体を取り出せるようにするのに、着脱自在の情報記録媒体を本体内に装着した情報処理装置であって、情報記録媒体の離脱を防止する施解錠手段と、予め登録された登録ＩＤを保存するＩＤ保存手段と、認証ＩＤを取得する外部端子と、前記外部端子から取得された認証ＩＤを前記登録ＩＤと比較して認証するＩＤ認証手段と、前記ＩＤ認証手段により前記登録ＩＤと前記認証ＩＤとが一致したと判定されたときに、前記施解錠手段を解錠する施解錠制御手段とを備えた情報処理装置がある（特許文献１）。
【０００５】
【特許文献１】特開２００９−１９３２９５号公報  （第１図〜第５図）
【発明の概要】
【発明が解決しようとする課題】
【０００６】
本発明は、上記の従来技術が有する問題を解決するためになされたものであり、その目的は、電子計算機のディスク記録再生装置の内部にディスクが挿入されているままかどうかを容易にユーザーが確認でき、また、電子計算機の電源がオフの状態の場合に、一旦電子計算機を起動させなくてもディスク記録再生装置の内部のディスクを取り出すことができる電子計算機を提供することにある。
【課題を解決するための手段】
【０００７】
本発明の電子計算機は、電源回路と、電源回路から電源電圧を供給されるディスク記録再生装置と、を少なくとも備える電子計算機であって、ディスク記録再生装置が、ローディングされたディスクを取り出す際に操作する取り出しスイッチと、ディスクの存在を検出するディスク検出回路と、を含み、電源回路が、電源スイッチと、ディスク記録再生装置が起動する場合に必要な最小電力を供給するオールウェイズ電源とディスク記録再生装置が通常動作する場合に電力を供給するラン電源とを電源スイッチの操作により切り替えて出力する電源出力切替回路と、オールウェイズ電源により動作して電源出力切替回路を制御する副演算回路と、副演算回路によりＬＥＤの発光を制御される表示回路と、を含み、電源回路の副演算回路が、ディスク検出回路の出力を受けてディスクの存在の有無を記憶するディスク有無記憶部を有し、電源スイッチを操作されて電源オフされたことを検出した際に、ディスクがディスク記録再生装置内に在るとディスク有無記憶部が記憶している場合は、表示回路のＬＥＤを発光させてディスク記録再生装置にオールウェイズ電源を供給するように待機し、ディスクがディスク記録再生装置内に存在しないとディスク有無記憶部が記憶している場合は、表示回路のＬＥＤを消灯させてディスク記録再生装置にラン電源を供給するように待機する。
【０００８】
好ましくは、本発明の電子計算機は、電源回路の電源出力切替回路がディスク記録再生装置にオールウェイズ電源を供給するように待機している際に、副演算回路が取り出しスイッチが押されたことを検出した場合は、ディスクがディスク記録再生装置内に存在するとディスク有無記憶部が記憶していれば、ディスク記録再生装置にオールウェイズ電源を供給し、ディスク記録再生装置内からローディングされたディスクを取り出し可能にする。
【０００９】
また、好ましくは、本発明の電子計算機は、電源回路の副演算回路が電源スイッチを操作されて電源オフされたことを検出した際に、副演算回路が取り出しスイッチが押されたことを検出した場合は、ディスクがディスク記録再生装置内に存在するとディスク有無記憶部が記憶している場合に、ディスク有無記憶部がディスクがディスク記録再生装置内に存在しないと変更して記憶し、表示回路のＬＥＤを消灯させてディスク記録再生装置にラン電源を供給するように待機する。
【００１０】
また、好ましくは、本発明の電子計算機は、電源回路の副演算回路が、電源スイッチを操作されて電源オンされたことを検出した際に、ディスクがディスク記録再生装置内に存在するとディスク有無記憶部が記憶している場合は、ディスク記録再生装置にラン電源を供給し、その後に中央演算回路にラン電源を供給して電子計算機を起動する。
【００１１】
また、好ましくは、本発明の電子計算機は、電源回路の副演算回路のディスク有無記憶部が、ディスク検出回路からディスク記録再生装置に割り当てられたドライブボリュームラベルを取得し、ドライブボリュームラベルにデータがある場合にディスクがディスク記録再生装置内に存在すると記憶し、ドライブボリュームラベルにデータがない場合にディスクがディスク記録再生装置内に存在しないと記憶する。
【００１２】
以下、本発明の作用について説明する。
【００１３】
本発明の電子計算機は、電源回路と、電源回路から電源電圧を供給されるディスク記録再生装置と、を少なくとも備える電子計算機であって、ディスク記録再生装置が、ローディングされたディスクを取り出す際に操作する取り出しスイッチと、ディスクの存在を検出するディスク検出回路と、を含む。ここで、電源回路は、電源スイッチと、ディスク記録再生装置が起動する場合に必要な最小電力を供給するオールウェイズ電源とディスク記録再生装置が通常動作する場合に電力を供給するラン電源とを電源スイッチの操作により切り替えて出力する電源出力切替回路と、オールウェイズ電源により動作して電源出力切替回路を制御する副演算回路（サブマイコン）と、副演算回路によりＬＥＤの発光を制御される表示回路と、を含む。加えて、この電源回路の副演算回路は、ディスク検出回路の出力を受けてディスクの存在の有無を記憶するディスク有無記憶部を有する。
【００１４】
この電子計算機は、電源回路の副演算回路が、ディスク検出回路の出力を受けてディスクの存在の有無を記憶するディスク有無記憶部を有するので、電源スイッチを操作されて電源オフされたことを検出した際に、ディスクがディスク記録再生装置内に在るとディスク有無記憶部が記憶している場合、つまり、ディスク記録再生装置にディスクがローディングされた状態では、表示回路のＬＥＤを発光させる。したがって、電子計算機が電源オフ状態であっても、ユーザーに対してまだディスクがディスク記録再生装置内に存在することをＬＥＤの発光によって注意喚起することができる。さらに電源回路の副演算回路が、ディスク記録再生装置にオールウェイズ電源を供給するように待機するので、副演算回路が取り出しスイッチが押されたことを検出した場合は、ディスク記録再生装置にオールウェイズ電源を供給し、ディスク記録再生装置内からローディングされたディスクを取り出し可能にする。したがって、電子計算機の電源がオフの状態の場合に、一旦電子計算機を起動させなくてもディスク記録再生装置の内部のディスクを取り出すことができる。
【００１５】
一方で、この電子計算機は、電源回路の副演算回路が、電源スイッチを操作されて電源オフされたことを検出した際に、ディスクがディスク記録再生装置内に存在しないとディスク有無記憶部が記憶している場合は、表示回路のＬＥＤを消灯させてディスク記録再生装置にラン電源を供給するように待機する。したがって、ユーザーに対してディスクがディスク記録再生装置内に存在しないことをＬＥＤを消灯させて知らせることができる。電源回路の副演算回路のディスク有無記憶部は、ディスク検出回路からディスク記録再生装置に割り当てられたドライブボリュームラベルを取得し、ドライブボリュームラベルにデータがある場合にディスクがディスク記録再生装置内に存在すると記憶し、ドライブボリュームラベルにデータがない場合にディスクがディスク記録再生装置内に存在しないと記憶する。したがって、ディスク記録再生装置に特別な機構を設けることなく簡易な構成によりディスク有無を確認できる。
【００１６】
また、この電子計算機では、電源回路の副演算回路が電源スイッチを操作されて電源オフされたことを検出した際に、副演算回路が取り出しスイッチが押されたことを検出した場合は、ディスクがディスク記録再生装置内に存在するときにはディスクを取り出した後に、ディスク有無記憶部がディスクがディスク記録再生装置内に存在しないと変更して記憶し、表示回路のＬＥＤを消灯させてディスク記録再生装置にラン電源を供給するように待機する。電源回路からラン電源を供給するように待機することで、次に電源スイッチを操作されて電源オンされたことを検出した際には、速やかにディスク記録再生装置および中央演算素子ＣＰＵを含む電子計算機を起動することができる。
【発明の効果】
【００１７】
本発明の電子計算機は、そのディスク記録再生装置の内部にディスクが挿入されているままかどうかを容易にユーザーが確認でき、また、電子計算機の電源がオフの状態の場合に、一旦電子計算機を起動させなくてもディスク記録再生装置の内部のディスクを取り出すことができる。
【図面の簡単な説明】
【００１８】
【図１】本発明の好ましい実施形態による電子計算機１について説明するブロック図である。（実施例１）
【図２】本発明の好ましい実施形態による電子計算機１の終了時の動作を説明するフローチャートである。（実施例１）
【図３】本発明の好ましい実施形態による電子計算機１のディスク排出時の動作を説明するフローチャートである。（実施例１）
【図４】本発明の好ましい実施形態による電子計算機１の起動時の動作を説明するフローチャートである。（実施例１）
【図５】本発明の好ましい実施形態による電子計算機１のディスク記録再生装置の内部にディスクが挿入されているかどうかを検出する動作を説明するフローチャートである。（実施例１）
【発明を実施するための形態】
【００１９】
以下、本発明の好ましい実施形態による電子計算機について説明するが、本発明はこれらの実施形態には限定されない。
【実施例１】
【００２０】
図１は、本発明の好ましい実施形態による電子計算機１を説明するブロック図である。具体的には、図１に図示する電子計算機１は、パーソナルコンピューターであって、中央演算回路（ＣＰＵ）２および光学ディスクドライブ（ＯＤＤ）５、等を含む計算機本体部２０と、電源回路１０と、を含む電子計算機である。なお、説明に不要な電子計算機１の一部の構成や、内部構造等は、図示を省略している。
【００２１】
電子計算機１の計算機本体部２０は、電源回路１０から電源供給を受けて動作する。計算機本体部２０は、その動作を制御する中央演算回路（ＣＰＵ）２と、中央演算回路２に接続して動作するチップセット（Ｃｈｉｐｓｅｔ）３と、チップセット３に接続してデータを一時的に記憶するＤＲＡＭ等で構成されるメモリ（Ｍｅｍｏｒｙ）４を含む。また、計算機本体部２０は、ＤＶＤ等のディスク状の光記憶媒体を記録再生する光学ディスクドライブ５と、データを磁気的に記録再生するハードディスクドライブ（ＨＤＤ）６と、を備える。光学ディスクドライブ５およびハードディスクドライブ７は、チップセット３を介して中央演算回路２に接続する。もちろん、電子計算機１の計算機本体部２０は、図１に図示する以外の他のインターフェイス、あるいは、他の構成を有していてもよい。
【００２２】
光学ディスクドライブ５は、ディスクを挿入又は排出する（図示しない）ローディング部と、ディスクを回転させてデータを記録再生する（図示しない）ドライブ部と、光学ディスクドライブ５の内部のディスクを取り出したい場合にユーザーが操作するイジェクトスイッチ（Ｅｊｅｃｔ
ＳＷ）７と、ディスクの存在を検出する（図示しない）ディスク検出回路と、を含む。イジェクトスイッチ７の出力はチップセット３を介して中央演算回路２に接続する他に、後述する電源回路１０のマイコン１１に接続する。
【００２３】
電子計算機１の電源回路１０は、計算機本体部２０へ電源を供給するように動作する。電源回路１０は、その動作を制御する副演算回路であるマイコン（ＭＣＵ）１１と、マイコン１１に接続してユーザーが電子計算機１の主電源のオン／オフを操作する電源スイッチ（Ｐｏｗｅｒ ＳＷ）１２と、ラン電源とオールウェイズ電源とを切り替えて出力する電源出力切替回路１３と、商用電源が接続されて電源出力切替回路１３へ電力を供給する電源入力端子１４と、マイコン１１に接続して発光するＬＥＤを含む表示回路１８と、を含む。
【００２４】
また、電源出力切替回路１３は、計算機本体部２０が通常動作する場合に必要な電力を供給するラン電源を発生させるラン電源供給回路（Ｒｕｎ  Ｐｏｗｅｒｓｕｐｐｌｙ）１５と、計算機本体部２０の一部の構成が起動する場合に必要な最小電力を供給するオールウェイズ電源を発生させるオールウェイズ電源供給回路（Ａｌｗａｙｓ  Ｐｏｗｅｒｓｕｐｐｌｙ）１６と、ラン電源とオールウェイズ電源とを切り替える切替回路１７と、を含む。
【００２５】
例えば、オールウェイズ電源は、５．０Ｖの直流電圧であり、ラン電源は、オールウェイズ電源よりも高電圧の１２．０Ｖの直流電圧である。オールウェイズ電源は、ＡＣ電源供給がある場合に、常に計算機本体部２０へ供給できる直流電源である。また、ラン電源は、電子計算機１が起動した場合のみに供給できる直流電源である。計算機本体部２０へは、常にオールウェイズ電源とラン電源とが供給される。ただし、電源出力切替回路１３の切替回路１７は、複数の制御可能な電源出力端子を有しており、少なくとも光学ディスクドライブ５へオールウェイズ電源とラン電源とを切り替えて出力することができる。電源出力切替回路１３は、マイコン１１から制御される。
【００２６】
なお、マイコン１１は、オールウェイズ電源供給回路１６からオールウェイズ電源を供給されて動作する。マイコン１１と計算機本体部２０との接続は、ＵＳＢ、ＲＳ−２３２Ｃ、等のインターフェイスによってもよい。また、マイコン１１は、後述するように、光学ディスクドライブ５のディスク検出回路の出力を受けて、ディスクが光学ディスクドライブ５の内部に存在するか否かを記憶する（図示しない）ディスク有無記憶部を有する。
【００２７】
図２は、ユーザーが電源スイッチ１２の操作により動作中の電子計算機１の主電源をオフするように操作する際の、電子計算機１の終了時の動作を説明するフローチャートである。電源回路１０のマイコン１１は、電源スイッチ１２を操作されて電源オフされたことを検出すると（Ｓ００１）、そのディスク有無記憶部のデータを参照してディスクが光学ディスクドライブ５の内部に存在するかどうかを判定する（Ｓ００２）。ディスクが光学ディスクドライブ５の内部に存在すると判定した場合（Ｓ００３：Ｙｅｓ）には、マイコン１１は、表示回路１８のＬＥＤを発光させて（Ｓ００４）、光学ディスクドライブ５にオールウェイズ電源を供給するように電源出力切替回路１３を制御して（Ｓ００５）待機する（Ｓ００６）。一方で、ディスクが光学ディスクドライブ５の内部に存在しないと判定した場合（Ｓ００３：Ｎｏ）には、マイコン１１は、表示回路１８のＬＥＤを消灯させて（Ｓ００７）、光学ディスクドライブ５にラン電源を供給するように電源出力切替回路１３を制御して（Ｓ００８）待機する（Ｓ００６）。
【００２８】
したがって、本実施例の電子計算機１においては、光学ディスクドライブ５の内部にディスクがローディングされた状態でユーザーが電源スイッチ１２を操作して電子計算機１の主電源をオフした場合には、ユーザーに対してまだディスクが光学ディスクドライブ５の内部に存在することを表示回路１８のＬＥＤを発光させることよって注意喚起することができる。また、ユーザーは、表示回路１８のＬＥＤが発光していないことから、電子計算機１が電源オフ状態であっても、ディスクが光学ディスクドライブ５の内部に存在しないことを確認できる。
【００２９】
図３は、電子計算機１のディスク排出時の動作を説明するフローチャートである。電源回路１０のマイコン１１は、電源オフ状態であってもまだディスクが光学ディスクドライブ５の内部に存在する場合には、光学ディスクドライブ５にオールウェイズ電源を供給するように待機するので、ユーザーは、イジェクトスイッチ７を押して、光学ディスクドライブ５内からローディングされたディスクを取り出すことができる。マイコン１１は、イジェクトスイッチ７が押されたことを検出した場合（Ｓ１０１）は、光学ディスクドライブ５のディスク有無記憶部のデータを参照してディスクが光学ディスクドライブ５の内部に存在するかどうかを判定し、ディスクが光学ディスクドライブ５の内部に存在すると判定した場合（Ｓ１０２：Ｙｅｓ）には、光学ディスクドライブ５がディスクを排出するのに必要な最小電力であるオールウェイズ電源を供給し、ディスクを排出させる。したがって、電子計算機１の主電源がオフの状態の場合に、一旦電子計算機１を起動させなくても光学ディスクドライブ５の内部のディスクを取り出すことができる。
【００３０】
さらに、マイコン１１は、ディスク有無記憶部をディスクが光学ディスクドライブ５の内部に存在しない「ディスク＝無」として記憶し（Ｓ１０３）、表示回路１８のＬＥＤを消灯させて（Ｓ１０４）、光学ディスクドライブ５にラン電源を供給するように電源出力切替回路１３を制御して（Ｓ１０５）待機する（Ｓ１０６）。一方で、ディスクが光学ディスクドライブ５の内部に存在しないと判定した場合（Ｓ１０２：Ｎｏ）には、マイコン１１は、光学ディスクドライブ５にラン電源を供給するように電源出力切替回路１３を制御した状態で待機する（Ｓ１０６）。したがって、次に電子計算機１の主電源をオンにする場合に、速やかに電子計算機１を起動させることができる。
【００３１】
図４は、電子計算機１の起動時の動作を説明するフローチャートである。電源回路１０のマイコン１１は、電源スイッチ７を操作されて電子計算機１の主電源をオンにされたことを検出すると（Ｓ２０１）、光学ディスクドライブ５のディスク有無記憶部のデータを参照してディスクが光学ディスクドライブ５の内部に存在するかどうかを判定し、ディスクが光学ディスクドライブ５の内部に存在すると判定した場合（Ｓ２０２：Ｙｅｓ）には、光学ディスクドライブ５にラン電源を供給するように電源出力切替回路１３を制御し（Ｓ２０３）、その後に中央演算回路２にラン電源を供給して電子計算機を起動する（Ｓ２０４）。一方で、ディスクが光学ディスクドライブ５の内部に存在しないと判定した場合（Ｓ２０２：Ｎｏ）には、マイコン１１は、中央演算回路２にラン電源を供給して電子計算機を起動して（Ｓ２０４）、起動の動作を終了する（Ｓ２０５）。したがって、電子計算機１の主電源がオフの状態の場合に、ディスクが光学ディスクドライブ５の内部に存在するかどうかに関わらず、速やかに電子計算機１を起動させることができる。
【００３２】
図５は、電子計算機１の光学ディスクドライブ５の内部にディスクが挿入されているかどうかを検出する動作を説明するフローチャートである。電源回路１０のマイコン１１は、光学ディスクドライブ５のディスク検出回路の出力を受けて、ディスクが光学ディスクドライブ５の内部に存在するか否かを記憶するディスク有無記憶部を有する。ディスクが挿入されているかどうかを検出する際には（Ｓ３０１）、マイコン１１のディスク有無記憶部は、電子計算機１が起動している状態において、光学ディスクドライブ５に割り当てられたドライブボリュームラベルを取得する（Ｓ３０２）。光学ディスクドライブ５の内部にディスクが存在する場合には、ドライブボリュームラベルにデータがあるので（Ｓ３０３：Ｙｅｓ）、ディスクが光学ディスクドライブ５の内部に存在する「ディスク＝有」として記憶する（Ｓ３０４）。一方、光学ディスクドライブ５の内部にディスクが存在しない場合には、ドライブボリュームラベルにはデータがなくなるので（Ｓ３０３：Ｎｏ）、ディスクが光学ディスクドライブ５の内部に存在しない「ディスク＝無」として記憶して（Ｓ３０６）、一連の動作を終了する（Ｓ３０５）。
【００３３】
したがって、電子計算機１の主電源がオフの状態の場合に、ディスクが光学ディスクドライブ５の内部に存在するかどうかに関わらず、速やかに電子計算機１を起動させることができる。したがって、光学ディスクドライブ５に特別な機構を設けなくても、マイコン１１の内部にディスクがあるかどうかを確認できる。
【００３４】
本実施例の電子計算機１では、上記のように光学ディスクドライブ５の内部にディスクが挿入されているままかどうかを、主電源がオフされている状態でも表示回路のＬＥＤを点灯させて容易にユーザーが確認できる。また、電子計算機１の電源がオフの状態の場合に、一旦電子計算機１を起動させなくても光学ディスクドライブ５の内部のディスクを取り出すことができる。また、電子計算機１の主電源がオフの状態の場合に、ディスクが光学ディスクドライブ５の内部に存在するかどうかに関わらず、速やかに電子計算機１を起動させることができる。
【００３５】
なお、本実施例の電子計算機１では、光学ディスクドライブ５の内部にディスクが存在しているままかどうかを課題としているが、光ディスクとは別の他の記録媒体、例えば、カード状の外形を有するメモリ媒体、等を挿入してデータを記録再生する記録媒体記録再生装置において、この記録媒体が記録再生装置の内部に挿入されているかどうかを検出するものであってもよい。
【００３６】
あるいは、電子計算機１は、デスクトップ、または、ノートブック等の形態を問わず、また、計算機本体部２０と電源回路１０とは、機構上で一体に構成されていてもよく、また、ＡＣアダプターのように電源回路１０を計算機本体部２０とは別に設けて、接続線によりこれらを結線して構成するものであってもよい。
【産業上の利用可能性】
【００３７】
本発明のケーブル接続端子構造は、上記実施例の場合のような電子計算機に適用するものに限定されず、ＣＤ、ＤＶＤ等の記録媒体をローディングする記録再生装置を備える映像音響機器、等にも適用が可能である。
【符号の説明】
【００３８】
１        電子計算機
２        中央演算回路
３        チップセット
４        メモリ
５        光学ディスクドライブ
６        ハードディスクドライブ
７        イジェクトスイッチ
１０      電源回路
１１      マイコン
１２      電源スイッチ
１３      電源出力切替回路
１４      電源入力端子１４
１５      ラン電源供給回路
１６      オールウェイズ電源供給回路
１７      切替回路
２０      計算機本体部
【図１】
2012198959.tif 000003
【図２】
2012198959.tif 000004
【図３】
2012198959.tif 000005
【図４】
2012198959.tif 000006
【図５】
2012198959.tif 000007